(57)【要約】    【課題】中高層集合住宅等の建築物の床又は壁等の防火区画を貫通する排水管又は継手に取り付けることで、該排水管又は継手に接続される排水立管に軽量で加工が容易な樹脂管を用いた場合でも、火災発生時に排水管又は継手の管路を通じた他の防火区画への類焼を確実に防止することができる防火アタッチメントを提供すること。    【解決手段】排水管又は継手１４の下端部１４ｂに取り付けられるフランジ部２１ｂを有し、前記排水管又は継手１４に接続される排水立管１２の挿入路２１ａを構成する筒状部材２１と、前記筒状部材２１の挿入路２１ａを構成する内周面に固定されたバネ部材２２とからなり、前記バネ部材２２が前記筒状部材２１の挿入路２１ａを閉塞する湾曲部２２ａを有しており、前記バネ部材２２を引張させて該バネ部材２２の引張端２２ｂを前記筒状部材２１の挿入路２ａを構成する内周面に可燃性固定具２３によって固定することで、前記筒状部材２１の挿入路２１ａを確保したことを特徴とする。  【選択図】図３
2008069960.tif 000002
【特許請求の範囲】
【請求項１】
中高層集合住宅等の建築物の床又は壁の防火区画を貫通する排水管又は継手に取り付けられる防火アタッチメントであって、
前記排水管又は継手の下端部に取り付けられるフランジ部を有し、前記排水管又は継手に接続される排水立管の挿入路を構成する筒状部材と、
前記筒状部材の挿入路を構成する内周面に固定されたバネ部材と、
からなり、前記バネ部材が前記筒状部材の挿入路を閉塞する湾曲部を有しており、前記バネ部材を引張させて該バネ部材の引張端を前記筒状部材の挿入路を構成する内周面に可燃性固定具によって固定することで、前記筒状部材の挿入路を確保したことを特徴とする防火アタッチメント。
【請求項２】
バネ部材が略Ｓ字状をなす複数の板バネからなり、これら複数の板バネの湾曲部が突き合わせ状態となって前記筒状部材の挿入路が閉塞されるようにしたことを特徴とする請求項１記載の防火アタッチメント。
【請求項３】
筒状部材の管路を閉塞するバネ部材を前記筒状部材の取付側端部と非取付側端部の２カ所に設けたことを特徴とする請求項１または２に記載の防火アタッチメント。
【請求項４】
バネ部材の引張端を筒状部材の内周面に固定する可燃性固定具が樹脂ピンであることを特徴とする請求項１〜３のいずれかに記載の防火アタッチメント。
【発明の詳細な説明】
【技術分野】
【０００１】
本発明は、中高層集合住宅等の建築物の床又は壁等の防火区画を貫通する排水管又は継手に取り付けられる防火アタッチメントに関し、詳細には各階の防火区画を貫通する排水管又は継手に取り付けられて、該排水管又は継手の管路を通じた他の防火区画への類焼を防止するようにした防火アタッチメントに関する。
【背景技術】
【０００２】
従来より、複数の住戸専有部分を備える中高層集合住宅等の建築物の排水設備１は、図６に示すように、建築物の上下方向に延びる排水立管２と、建築物の各階毎に設けられて、各階の住居部分の設備等からの排水を前記排水立管２まで導く排水横枝管３と、排水立管２と排水横枝管３とを接続する排水管又は継手４とを有してなり、排水管又は継手４は、その胴部４ａがコンクリートスラブＣの貫通孔Ｃ１に通されており、その胴部４ａによって上階の排水立管２と下階の排水立て管２とが接続されるようになっている。排水管又は継手４は、胴部４ａがコンクリートスラブＣの貫通孔Ｃ１に通された後、その胴部４ａと貫通孔Ｃ１の隙間部分がモルタルＭにより埋め戻されている（特許文献１参照）。
【０００３】
上記従来の排水設備において、建築物の上下方向に延びる排水立管２には、下階から上階への類焼を防ぐ目的で、鋼管や銅管などの金属管や樹脂管の周りにモルタル層を設けた耐火二層管などの配管部材が用いられていた。ところが、金属管や耐火二層管は重く、このような配管部材を配管場所に持ち込み、配管場所で所定の寸法に切断し接続するという配管作業は大変に手間がかかり、技術も要していた。
【０００４】
そこで、運搬や配管作業の手間を大幅に削減できる軽量で、加工性に優れた塩ビ管などの樹脂管を建築物の床又は壁等の防火区画を貫通する排水管又は継手に接続される排水立管として用いることも検討された。
【０００５】
しかし、塩ビ管などの樹脂管は可燃性材料であるため、これを排水立管として用いた場合、火災発生時の熱で溶融して消失してしまうことから、排水管又は継手の管路を通じて他の防火区画への類焼を引き起こす恐れがあった。
【特許文献１】特開２００５−１４６５２５号公報
【発明の開示】
【発明が解決しようとする課題】
【０００６】
本発明は、このような技術的課題に鑑みなされたものであり、中高層集合住宅等の建築物の床又は壁等の防火区画を貫通する排水管又は継手に接続される排水立管として、重く取り扱い性が悪い金属管や耐火二層管などの配管部材に代えて軽量で取り扱い性が良好な樹脂管を用いた場合でも、火災発生時に排水管又は継手の管路を通じた他の防火区画への類焼を確実に防止することができる防火アタッチメントを提供することを目的とするものである。
【課題を解決するための手段】
【０００７】
上記目的を達成するため、請求項１記載の発明は、中高層集合住宅等の建築物の床又は壁の防火区画を貫通する排水管又は継手に取り付けられる防火アタッチメントであって、
前記排水管又は継手の下端部に取り付けられるフランジ部を有し、前記排水管又は継手に接続される排水立管の挿入路を構成する筒状部材と、
前記筒状部材の挿入路を構成する内周面に固定されたバネ部材と、
からなり、前記バネ部材が前記筒状部材の挿入路を閉塞する湾曲部を有しており、前記バネ部材を引張させて該バネ部材の引張端を前記筒状部材の挿入路を構成する内周面に可燃性固定具によって固定することで、前記筒状部材の挿入路を確保したことを特徴とする防火アタッチメントをその要旨とした。
【０００８】
請求項２記載の発明は、バネ部材が略Ｓ字状をなす複数の板バネからなり、これら複数の板バネの湾曲部が突き合わせ状態となって前記筒状部材の挿入路が閉塞されるようにしたことを特徴とする請求項１記載の防火アタッチメントをその要旨とした。
【０００９】
請求項３記載の発明は、筒状部材の管路を閉塞するバネ部材を前記筒状部材の取付側端部と非取付側端部の２カ所に設けたことを特徴とする請求項１または２に記載の防火アタッチメントをその要旨とした。
【００１０】
請求項４記載の発明は、バネ部材の引張端を筒状部材の内周面に固定する可燃性固定具が樹脂ピンであることを特徴とする請求項１〜３のいずれかに記載の防火アタッチメントをその要旨とした。
【発明の効果】
【００１１】
本発明の防火アタッチメント２０は、排水管又は継手１４の下端部１４ｂに取り付けられるフランジ部２１ｂを有し、前記排水管又は継手１４に接続される排水立管１２の挿入路２１ａを構成する筒状部材２１と、この筒状部材２１の挿入路２１ａを構成する内周面に固定されたバネ部材２２とからなり、前記バネ部材２２が前記筒状部材２１の挿入路２１ａを閉塞する湾曲部２２ａを有しており、このバネ部材２２を引張させて該バネ部材２２の引張端２２ｂを前記筒状部材２１の挿入路２１ａを構成する内周面に可燃性固定具２３によって固定することで、前記筒状部材２１の挿入路２１ａを確保したものである。
【００１２】
このため、火災時の熱で樹脂製の排水立管１２は溶融、炭化して消失する。このとき、バネ部材２２の引張端２２ｂを固定する可燃性の固定具２３も溶融して消失するので、バネ部材２２はその復元力によって元の湾曲部２２ｂを有する形状に復元する。このため、当該バネ部材２２の湾曲部２２ｂによって筒状部材２１の挿入路２１ａが閉塞され、火災時の熱で溶融、炭化した排水立管１２の残焼物Ｘは、バネ部材２２の湾曲部２２ｂによって受け止められる。この結果、前記排水管又は継手１４へと通じる筒状部材２１の挿入路２１ａは、バネ部材２２の湾曲部２２ｂとこれに受け止められる排水立管１２の残焼物Ｘとによって完全に閉塞され、排水管又は継手１４の管路を通じた他の防火区画への類焼が防止される。
【００１３】
またこのアタッチメント２０を適用する場合、排水管又は継手１４の管路を通じた他の防火区画への類焼を確実に防止できるため、各階の排水管又は継手１４に接続される排水立管１２には、ポリ塩化ビニル、架橋ポリエチレン、ポリプロピレン、ポリブテン等の軽量で加工が容易な樹脂管を用いることができるため、建築物の配管作業をより効率よく行うことができる。
【発明を実施するための最良の形態】
【００１４】
以下、本発明の防火アタッチメント（以下、単にアタッチメントという）を図面に示した一形態に従ってさらに詳しく説明する。図１〜図３に示すように、本発明のアタッチメント２０は、排水設備１１における建築物の上下方向に延びる排水立管１２と、建築物の各階毎に設けられて、各階の住居部分の設備等からの排水を前記排水立管１２まで導く排水横枝管１３とを接続する排水管又は継手１４の下端部１４ｂに取り付けられる。
【００１５】
図示の排水管又は継手１４は、その胴部１４ａがコンクリートスラブＣの貫通孔Ｃ１に通された後、その胴部１４ａと貫通孔Ｃ１の隙間部分がモルタルＭにより埋め戻されている。
【００１６】
本発明のアタッチメント２０を適用する場合、排水管又は継手１４の管路１４ｃを通じた他の防火区画への類焼が確実に防止されるため、排水立管１２には、ポリ塩化ビニル、架橋ポリエチレン、ポリプロピレン、ポリブテン、ポリエステル等の樹脂管、或いは樹脂管周りに吸音層や制振層など含む防音部材を巻き付けたものを用いることができる。
【００１７】
以下、上述のような作用効果を奏するアタッチメントの具体例を示す。図１〜図３に示すアタッチメント２０は、筒状部材２１とバネ部材２２とからなる。筒状部材２１は、排水管又は継手１４に接続される排水立管１２の挿入路２１ａを構成する鉄、ステンレスなどの金属製の筒であり、前記挿入路２１ａは排水管又は継手１４へと通じる管路となる。
【００１８】
この筒状部材２１は上端部にフランジ部２１ｂを有している。このフランジ部２１ｂは、ステンレスなどの金属板を円形に打ち抜き加工した薄板である。このフランジ部２１ｂには排水管又は継手１４の下端部１４ｂのボルト１４ｄに対応するボルト孔２４が設けられており、このフランジ部２１ｂのボルト孔２１ｃを通じて該筒状部材２１が排水管又は継手１４の下端部１４ｂにボルト１４ｄによってボルト締めされて取り付けられるようになっている。
【００１９】
バネ部材２２は、バネ鋼やステンレスなどの金属板から打ち抜き、折り曲げ加工して作製された略Ｓ字状をなす複数の板バネからなる。このバネ部材２２の一端は、図３に示すように筒状部材２１の挿入路２１ａを構成する内周面であって、筒状部材２１の取付側に溶接などで固定され、その湾曲部２２ａは筒状部材２１の挿入路２１ａに突き出た状態となって該挿入路２１ａを閉塞するようになっている。図示の例ではバネ部材２２を構成する複数の板バネの各湾曲部２２ａがそれぞれ筒状部材２１の挿入路２１ａに突き出て、突き合わせ状態となって前記筒状部材２１の挿入路２１ａが閉塞されるようになっている。
【００２０】
本発明のアタッチメント２０では、図２に示すように筒状部材２１の挿入路２１ａに突き出た状態となって該挿入路２１ａを閉塞するバネ部材２２の湾曲部２２ａを引き延ばして、その引張端２２ｂを筒状部材２１の挿入路２１ａを構成する内周面であって、筒状部材２１の非取付側に、例えば樹脂ピンなどの可燃性固定具２３によって固定することで、筒状部材２１の挿入路２１ａを確保している。
【００２１】
このため、火災が発生したとき、その火災時の熱で樹脂製の排水立管１２は溶融、炭化して消失する。同じく筒状部材２１の挿入路２１ａを構成する内周面であって、筒状部材２１の非取付側にバネ部材２２の引張端２２ｂを固定する可燃性固定具２３も溶融して消失するので、バネ部材２２はその復元力によって図３中矢印に示すように筒状部材２１の挿入路２１ａを構成する内周面に沿って摺り上がり、元の湾曲部２２ｂを有する形状（略Ｓ字状）に復元する。
【００２２】
このため、図３に示すように筒状部材２１の挿入路２１ａには、バネ部材２２の湾曲部２２ｂが突き出て、突き合わせ状態となって該筒状部材２１の挿入路２１ａを閉塞するようになる。これに伴って火災時の熱で溶融、炭化した排水立管１２の残焼物Ｘは、バネ部材２２の湾曲部２２ｂによって受け止められる。この結果、前記排水管又は継手１４へと通じる筒状部材２１の挿入路２１ａは、バネ部材２２の湾曲部２２ｂとこれに受け止められる排水立管１２の残焼物Ｘとによって完全に閉塞され、排水管又は継手１４の管路を通じた他の防火区画への類焼が確実に防止されることになる。
【００２３】
次に、本発明のアタッチメントの別の形態を図４及び図５に示す。このアタッチメント２０は、筒状部材２１の挿入路２１ａを閉塞するバネ部材２２を前記筒状部材２１の取付側端部と非取付側端部の２カ所に設けたものである。この形態の場合、火災が発生したとき、その火災時の熱で樹脂製の排水立管１２は溶融、炭化して消失する。このとき、筒状部材２１の挿入路２１ａを構成する内周面であって、筒状部材２１の非取付側端部に設けたバネ部材２２の引張端２２ｂを固定する可燃性固定具２３がまず溶融して消失する。このため、非取付側端部に設けたバネ部材２２はその復元力によって図５中矢印に示すように筒状部材２１の挿入路２１ａを構成する内周面に沿って摺り上がり、元の湾曲部２２ｂを有する形状（略Ｓ字状）に復元する。
【００２４】
非取付側端部に設けたバネ部材２２に続いて取付側端部に設けたバネ部材２２も同じく、火災時の熱でバネ部材２２の引張端２２ｂを固定する可燃性固定具２３が溶融して消失し、その復元力によって図５中矢印に示すように筒状部材２１の挿入路２１ａを構成する内周面に沿って摺り上がり、元の湾曲部２２ｂを有する形状（略Ｓ字状）に復元する。
【００２５】
このため、図５に示すように筒状部材２１の挿入路２１ａには、非取付側端部と取付側端部の２カ所で、バネ部材２２の湾曲部２２ｂが突き出て、突き合わせ状態となって該筒状部材２１の挿入路２１ａを閉塞すると共に、火災時の熱で溶融、炭化した排水立管１２の残焼物Ｘを受け止めることになるので、排水管又は継手１４の管路を通じた他の防火区画への類焼はより確実に防止されることになる。
【００２６】
尚、本発明のアタッチメントは、上記の例に限定されるものではなく、例えば図１〜図５に示すアタッチメント２０のバネ部材２２をＬ字状や矩形状にしたり、或いはジグザグ形状に折り曲げ加工して複数の湾曲部２２ａを設け、そのそれぞれ湾曲部２２ａが筒状部材２１の挿入路２１ａに突き出て前記筒状部材２１の挿入路２１ａを閉塞するようにするなど、特許請求の範囲に記載された範囲内で自由に変更することができる。
【図面の簡単な説明】
【００２７】
【図１】本発明のアタッチメントを示す拡大斜視図。
【図２】本発明のアタッチメントのバネ部材を引張させて筒所部材の挿入路を確保した状態を示す断面図。
【図３】本発明のアタッチメントのバネ部材が元の形状の復元して筒所部材の挿入路を閉塞した状態を示す断面図。
【図４】本発明のアタッチメントの別例を示し、バネ部材を引張させて筒所部材の挿入路を確保した状態を示す断面図。
【図５】本発明のアタッチメントの別例を示し、バネ部材が元の形状の復元して筒所部材の挿入路を閉塞した状態を示す断面図。
【図６】従来の排水設備を示す模式図である。
【符号の説明】
【００２８】
１２  ・・・排水立管
１３  ・・・排水横枝管
１４  ・・・排水管又は継手
２０  ・・・アタッチメント
２１  ・・・筒状部材
２１ａ・・・挿入路
２１ｂ・・・フランジ部
２２  ・・・バネ部材
２２ａ・・・湾曲部
２２ｂ・・・引張端
２３  ・・・可燃性固定具
Ｘ    ・・・排水立管の残焼物
【図１】
2008069960.tif 000003
【図２】
2008069960.tif 000004
【図３】
2008069960.tif 000005
【図４】
2008069960.tif 000006
【図５】
2008069960.tif 000007
【図６】
2008069960.tif 000008